(57)【要約】【課題】状況に応じた撮影を可能とする。【解決手段】読み取り装置１０における読み取り方法であって、読み取り装置１０は、撮影部１２と、パネル部１３と、制御部１８とを備える。撮影部１２は、台座１４に立設された支柱１５により支持され、台座１４に載置された媒体２０を媒体２０の第１の方向から撮影する。パネル部１３は、台座１４に設置され、媒体２０を撮影する際に画面を表示する。制御部１８は、撮影部１２とパネル部１３とを制御する。制御部１８は、画面の表示をパネル部１３に指示し、パネル部１３が画面を表示している期間に撮影部１２に撮影を指示する。【選択図】図１
2019024158.tif 000002
【特許請求の範囲】
【請求項１】
読み取り装置における読み取り方法であって、
前記読み取り装置は、
台座に立設された支柱により支持され、前記台座に載置された媒体を前記媒体の第１の方向から撮影する撮影部と、
前記台座に設置され、前記媒体を撮影する際に画面を表示するパネル部と、
前記撮影部と前記パネル部とを制御する制御部とを備え、
前記制御部は、
画面の表示を前記パネル部に指示し、
前記パネル部が前記画面を表示している期間に前記撮影部に撮影を指示する、
読み取り方法。
【請求項２】
前記制御部は、
前記媒体の撮影指示を受け付け、第１の画面の表示を前記パネル部に指示し、
前記パネル部が前記第１の画面を表示している期間に第１の撮影を前記撮影部に指示し、
前記撮影部から第１の撮影画像を取得し、
前記第１の撮影画像に基づき第２の画面を生成し、
前記第２の画面の表示を前記パネル部に指示し、
前記パネル部が前記第２の画面を表示している期間に第２の撮影を前記撮影部に指示し、
前記撮影部から第２の撮影画像を取得する、
請求項１記載の読み取り方法。
【請求項３】
前記制御部は、
前記第１の画面として無地の画面の表示を前記パネル部に指示する、
請求項２記載の読み取り方法。
【請求項４】
前記制御部は、
前記第１の撮影画像を白黒反転させた画像を前記第２の画面として生成する、
請求項２記載の読み取り方法。
【請求項５】
前記制御部は、
前記第１の撮影画像に含まれる前記媒体の内側領域を白黒反転させた画像を前記第２の画面として生成する、
請求項２記載の読み取り方法。
【請求項６】
台座に立設された支柱により支持され、前記台座に載置された媒体を前記媒体の第１の方向から撮影する撮影部と、
前記台座に設置され、前記媒体を撮影する際に画面を表示するパネル部と、
画面の表示を前記パネル部に指示し、前記パネル部が前記画面を表示している期間に前記撮影部に撮影を指示する制御部と、
を有する読み取り装置。
【請求項７】
前記制御部は、
前記媒体の撮影指示を受け付け、第１の画面の表示を前記パネル部に指示し、
前記パネル部が前記第１の画面を表示している期間に第１の撮影を前記撮影部に指示し、
前記撮影部から第１の撮影画像を取得し、
前記第１の撮影画像に基づき第２の画面を生成し、
前記第２の画面の表示を前記パネル部に指示し、
前記パネル部が前記第２の画面を表示している期間に第２の撮影を前記撮影部に指示し、
前記撮影部から第２の撮影画像を取得する、
請求項６記載の読み取り装置。
【発明の詳細な説明】
【技術分野】
【０００１】
本発明は、読み取り方法および読み取り装置に関する。
【背景技術】
【０００２】
金融機関では、帳票等の媒体を読み取る読み取り装置が用いられている。読み取り装置では、スタンド型のイメージスキャナ（ＯＨＲ：Over Head Reader）が、台座にセットされた媒体の画像を撮影し、情報処理装置が画像処理を行い当該画像から記載内容を抽出して文字認識を行い、媒体の読み取りを行う。
【０００３】
スタンド型のイメージスキャナにおいて、外光の照明出力に関わらず帳票を適切に読み取る技術が提案されている。
【先行技術文献】
【特許文献】
【０００４】
【特許文献１】特開２０１６−２１２４５７号公報
【発明の概要】
【発明が解決しようとする課題】
【０００５】
従来技術においては、スタンド型のイメージスキャナに照明部を設け、照明部から照明された帳票を撮影して画像を取得する。この方法では、用紙の地色や厚みに応じて光の反射率が異なるため、イメージスキャナが所定範囲内の濃度の画像を撮影することが難しく、画像処理および文字認識の精度向上の阻害要因となる場合があった。
【０００６】
また、帳票の端部に濃い地色が用いられている場合、帳票を撮影した画像に対する画像処理において濃い地色部分を帳票外であると誤認識して端部の検出に失敗し、文字認識のための座標誤りが生じることがある。また、帳票の内部に濃い地色が用いられている場合、画像処理において記入文字以外の地色部分の除去に失敗し、文字の誤認識が生じることがある。
【０００７】
また、情報処理装置において画像処理を実行するプログラムには複数の種類があり、プログラムによっては帳票の外側領域の濃度が指定されている場合がある。このため、スタンド型のイメージスキャナで撮影した画像を画像処理する場合、帳票を載置する台座の色に制約が生じることがある。
【０００８】
このため、スタンド型のイメージスキャナにおいて、撮影状況に応じた読み取り方法および読み取り装置が求められている。
一側面では、本発明は、状況に応じた撮影を可能とする読み取り方法および読み取り装置を提供することを目的とする。
【課題を解決するための手段】
【０００９】
上記目的を達成するために、以下に示すような読み取り方法を提供する。読み取り装置における読み取り方法であって、読み取り装置は、撮影部と、パネル部と、制御部とを備える。撮影部は、台座に立設された支柱により支持され、台座に載置された媒体を媒体の第１の方向から撮影する。パネル部は、台座に設置され、媒体を撮影する際に画面を表示する。制御部は、撮影部とパネル部とを制御する。制御部は、画面の表示をパネル部に指示し、パネル部が画面を表示している期間に撮影部に撮影を指示する。
【発明の効果】
【００１０】
一態様によれば、読み取り方法および読み取り装置において、状況に応じた撮影を可能とする。
【図面の簡単な説明】
【００１１】
【図１】第１の実施の形態の読み取り装置の一例を示す図である。
【図２】第２の実施の形態の読み取り装置のハードウェア構成の一例を示す図である。
【図３】第２の実施の形態のイメージスキャナの概略構成の一例を示す図である。
【図４】第２の実施の形態のイメージスキャナの使用態様の一例を示す図である。
【図５】第２の実施の形態の本撮影のイメージを示す図である。
【図６】第２の実施の形態のシーケンスを示す図である。
【図７】第２の実施の形態のプレ撮影画像の一例を示す図である。
【図８】第２の実施の形態の白黒反転画像の一例を示す図である。
【図９】第２の実施の形態の台座パネルの表示の一例を示す図である。
【図１０】第２の実施の形態の適用事例を示す図である。
【発明を実施するための形態】
【００１２】
以下、図面を参照して実施の形態について説明する。
［第１の実施の形態］
第１の実施の形態について、図１を用いて説明する。図１は、第１の実施の形態の読み取り装置の一例を示す図である。
【００１３】
読み取り装置１０は、イメージスキャナ１１と、イメージスキャナ１１の撮影を制御する情報処理部１７とを含む。
イメージスキャナ１１は、撮影部１２と、パネル部１３と、台座１４と、支柱１５と、ヘッド部１６とを備える。
【００１４】
撮影部１２は、台座１４に対向する側、すなわち、下向きに設けられている。撮影部１２は、台座１４に立設された支柱１５により支持され、台座１４に載置された媒体２０を媒体２０の第１の方向（たとえば、上側）から撮影する。言い換えると、撮影部１２は、台座１４に載置された媒体２０の上向きの面を撮影する。撮影部１２として、たとえば、二次元の画像を取得可能なＣＣＤ（Charge-Coupled Device）カメラが用いられる。
【００１５】
パネル部１３は、台座１４に備えられ、撮影部１２に対向する側、すなわち、上向きに表示面が設けられている。パネル部１３は、たとえば、液晶ディスプレイ等が用いられる。パネル部１３は、撮影部１２が媒体２０を撮影する際に画面を表示する。このため、撮影部１２は、媒体２０を撮影する際に、媒体２０とパネル部１３に表示された画面とが重ね合わされた状態を撮影する。
【００１６】
台座１４は、撮影対象となる媒体２０を載置する台であるとともに、画面を表示するパネル部１３を備える。
支柱１５は、台座１４に立設された棒状の部材である。支柱１５は、上部に撮影部１２を含むヘッド部１６を支持している。
【００１７】
ヘッド部１６は、支柱１５と撮影部１２とを接続する部材である。なお、支柱１５が略逆Ｌ字形状である場合、ヘッド部１６を個別に設けず、支柱１５に直接撮影部１２を設置することが可能である。
【００１８】
媒体２０は、情報が表示された物体であり、たとえば、帳票、伝票、アンケート用紙等であり、撮影対象となる物体である。帳票や伝票は、文字が表示された紙類であり、押印された印影等を含む場合がある。媒体２０は、読み取り装置１０を操作する係員によって台座１４に載置される。
【００１９】
情報処理部１７は、イメージスキャナ１１に対し媒体２０を撮影する制御をする装置であり、たとえば、コンピュータである。情報処理部１７は、制御部１８を備える。制御部は、たとえば、情報処理部１７が備えるＣＰＵ（Central Processing Unit）であり、所定の読み取り処理プログラムを実行することにより、その処理機能が実現される。制御部１８は、撮影部１２とパネル部１３とを制御する。
【００２０】
ここで、読み取り装置１０による媒体２０の読み取り方法について説明する。係員は、媒体２０（たとえば、帳票）を台座１４に載置し、情報処理部１７に媒体２０の読み取り開始を指示する。情報処理部１７の制御部１８は、読み取り開始指示を受け付け、画面の表示をパネル部１３に指示し、パネル部１３が画面を表示している期間に撮影部１２に撮影を指示する。言い換えると、制御部１８は、パネル部１３が画面を表示している状態において撮影部１２に撮影を指示する。
【００２１】
より具体的には、制御部１８は、媒体２０の撮影指示を受け付け、第１の画面３１の表示をパネル部１３に指示する。第１の画面３１は、無地の画面である。たとえば、第１の画面３１は、白色一色の画面や、黒色一色の画面等である。
【００２２】
制御部１８は、パネル部１３が第１の画面３１を表示している期間に第１の撮影を撮影部１２に指示し、撮影部１２から第１の撮影画像４１を取得する。第１の撮影画像４１は、無地の画面を表示したパネル部１３の上に媒体２０が載置された状態が撮影された画像である。言い換えると、第１の撮影画像４１は、媒体２０と第１の画面３１が重ね合わせた状態が撮影された画像である。第１の撮影画像４１には、影等の写り込みや媒体２０の地色の濃い部分が暗く写る場合がある。
【００２３】
制御部１８は、第１の撮影画像４１に基づき第２の画面３２を生成し、第２の画面３２の表示をパネル部１３に指示する。第２の画面３２は、第１の撮影画像４１を白黒反転させた画面である。なお、第２の画面３２は、第１の撮影画像４１の全てを反転させるのではなく、媒体２０の輪郭の内側領域のみを白黒反転させた画面であってもよい。
【００２４】
制御部１８は、パネル部１３が第２の画面３２を表示している期間に第２の撮影を撮影部１２に指示し、撮影部１２から第２の撮影画像４２を取得する。第２の撮影画像４２は、白黒反転させた画面を表示したパネル部１３の上に媒体２０が載置された状態が撮影された画像である。言い換えると、第２の撮影画像４２は、媒体２０と第２の画面３２を表示しているパネル部１３とを重ね合わせた状態が撮影された画像である。
【００２５】
読み取り装置１０は、第１の撮影で媒体２０に影等が写った第１の撮影画像４１を取得しても、第２の撮影で影等を除去した第２の撮影画像４２を取得できる。読み取り装置１０は、影等の暗い部分を白黒反転させた第２の画面３２をパネル部１３に表示した状態で第２の撮影を行うため、第２の撮影の際には影等の暗い部分が明るく補正された状態であるからである。
【００２６】
このようにして、読み取り装置１０は、影等を除去した第２の撮影画像４２を取得することで、文字認識や印影照合等の画像処理の精度を向上することができる。
従来、撮影対象となる媒体２０に濃い地色が用いられている場合、帳票を撮影した画像に対する画像処理において濃い地色部分を帳票外であると誤認識して端部の検出に失敗し、文字認識のための座標誤りが生じることがあった。また、帳票の内部に濃い地色が用いられている場合、画像処理において記入文字以外の地色部分の除去に失敗し、文字の誤認識が生じることがあった。しかし、読み取り装置１０においては、濃い地色部分が存在する場合であっても、白黒反転させた画像をパネル部１３に表示して撮影を行うため、濃い地色部分の濃度を補正することが可能となる。
【００２７】
また、従来、情報処理装置において画像処理を実行するプログラムには複数の種類があり、プログラムによっては媒体２０の外側領域の濃度が指定されている場合があった。このため、スタンド型のイメージスキャナで撮影した画像を画像処理する場合、媒体２０を載置する台座の色に制約が生じることがあった。しかし、読み取り装置１０においては、パネル部１３の表示を変更することが可能であるため、媒体２０の外側領域の表示を変更することで、台座の色や濃度の指定に対応した撮影が可能となる。
【００２８】
このように、読み取り装置１０は、状況に応じた撮影ができる。
［第２の実施の形態］
第２の実施の形態では、第１の実施の形態についてより具体的に説明する。
【００２９】
まず、第２の実施の形態の読み取り装置のハードウェア構成について図２を用いて説明する。
図２は、第２の実施の形態の読み取り装置のハードウェア構成の一例を示す図である。読み取り装置１００は、情報処理装置１１０と、係員からの操作入力を受け付けると共に、業務処理の画面や読み取った画像等を表示する表示入力装置１２０と、各種帳票や本人確認資料の画像を撮影するイメージスキャナ１３０とを有する。
【００３０】
情報処理装置１１０は、プロセッサ１１１、ＲＡＭ（Random Access Memory）１１２、ＨＤＤ（Hard Disk Drive）１１３、画像信号処理部１１４、入力信号処理部１１５、媒体リーダ１１６および通信インタフェース１１７を有する。上記のユニットは、それぞれバス１１８に接続されている。
【００３１】
プロセッサ１１１は、プログラムの命令を実行する演算回路を含むものであり、たとえばＣＰＵやＤＳＰ（Digital Signal Processor）である。プロセッサ１１１は、ＨＤＤ１１３に記憶されたプログラムやデータの少なくとも一部をＲＡＭ１１２にロードし、プログラムを実行する。なお、プロセッサ１１１は複数のプロセッサコアを備えてもよく、情報処理装置１１０は複数のプロセッサを備えてもよく、以下で説明する処理を複数のプロセッサまたはプロセッサコアを用いて並列に実行してもよい。また、複数のプロセッサの集合（マルチプロセッサ）を「プロセッサ」と呼んでもよい。
【００３２】
ＲＡＭ１１２は、プロセッサ１１１が実行するプログラムやプロセッサ１１１が演算に用いるデータを一時的に記憶する揮発性の半導体メモリである。なお、情報処理装置１１０は、ＲＡＭ以外の種類のメモリを備えてもよく、複数個のメモリを備えてもよい。
【００３３】
ＨＤＤ１１３は、ＯＳ（Operating System）やミドルウェアやアプリケーションソフトウェア等のソフトウェアのプログラム、および、データを記憶する不揮発性の記憶装置である。プログラムには、各種帳票の読み取りや口座開設等を管理するプログラムが含まれる。なお、情報処理装置１１０は、フラッシュメモリやＳＳＤ（Solid State Drive）等の他の種類の記憶装置を備えてもよく、複数の不揮発性の記憶装置を備えてもよい。
【００３４】
画像信号処理部１１４は、プロセッサ１１１からの命令に従って、情報処理装置１１０に接続されたディスプレイ１２１に画像を出力する。ディスプレイ１２１としては、ＣＲＴ（Cathode Ray Tube）ディスプレイ、液晶ディスプレイ（ＬＣＤ：Liquid Crystal Display）、プラズマディスプレイ（ＰＤＰ：Plasma Display Panel）、有機ＥＬ（ＯＥＬ：Organic Electro-Luminescence）ディスプレイ等を用いることができる。
【００３５】
入力信号処理部１１５には、入力デバイス１２２と、イメージスキャナ１３０が接続されている。入力信号処理部１１５は、バス１１８を介してプロセッサ１１１からの制御信号を各ユニットに通知し、表示入力装置１２０並びにイメージスキャナ１３０からの信号をプロセッサ１１１に通知する。
【００３６】
入力信号処理部１１５は、情報処理装置１１０に接続された入力デバイス１２２から入力信号を取得し、プロセッサ１１１に出力する。また、入力信号処理部１１５は、情報処理装置１１０に接続されたイメージスキャナ１３０から画像データを取得し、プロセッサ１１１に出力する。また、入力信号処理部１１５は、各種制御指示をイメージスキャナ１３０に出力する。
【００３７】
入力デバイス１２２としては、マウスやタッチパネルやタッチパッドやトラックボール等のポインティングデバイス、キーボード、リモートコントローラ、ボタンスイッチ等を用いることができる。
【００３８】
イメージスキャナ１３０は、各種帳票や本人確認資料の画像を撮影するカメラ（撮影部）１３１と台座パネル（パネル部）１３２とを有する。なお、カメラ１３１は、第１の実施の形態における撮影部１２に対応するものである。また、台座パネル１３２は、第１の実施の形態におけるパネル部１３に対応するものである。
【００３９】
カメラ１３１は、各種帳票等の媒体の画像の読み取りに用いられる撮影装置である。台座パネル１３２は、台座に設けられ、媒体を載置する台であるとともに、撮影の際に画像を表示する表示装置でもある。台座パネル１３２と情報処理装置１１０とのインタフェースとして、ＤＶＩ（Digital Visual Interface）、アナログＲＧＢ（Red Green Blue）、ＨＤＭＩ（登録商標）（High-Definition Multimedia Interface）、ＤｉｓｐｌａｙＰｏｒｔ、ＵＳＢ（Universal Serial Bus）等を用いることができる。台座パネル１３２として、たとえば、液晶ディスプレイ、電子ペーパー等が用いられる。台座パネル１３２は、アンチグレア加工されたものであることが望ましい。台座パネル１３２の表面が天井灯等の外光により反射すると、撮影時に適切な画像が得られないためである。また、台座パネル１３２は、可能な範囲においてリフレッシュレートを高くすることが望ましい（たとえば、１／２００Ｈｚリフレッシュレート等）。台座パネル１３２のリフレッシュレートが、カメラ１３１のシャッタースピードと同期すると、フリッカ（ちらつき）が生じるためである。イメージスキャナ１３０については、後で図３を用いて説明する。
【００４０】
媒体リーダ１１６は、記録媒体１４０に記録されたプログラムやデータを読み取る読み取り装置である。記録媒体１４０として、たとえば、フレキシブルディスク（ＦＤ：Flexible Disk）やＨＤＤ等の磁気ディスク、ＣＤ（Compact Disc）やＤＶＤ（Digital Versatile Disc）等の光ディスク、光磁気ディスク（ＭＯ：Magneto-Optical disk）、半導体メモリ等を使用できる。媒体リーダ１１６は、たとえば、記録媒体１４０から読み取ったプログラムやデータをＲＡＭ１１２またはＨＤＤ１１３に格納する。なお、情報処理装置１１０は、その他の複数の種類のデバイスが接続されていてもよい。
【００４１】
通信インタフェース１１７は、ネットワーク９００に接続され、他のコンピュータ等と通信を行う。通信インタフェース１１７は、有線通信インタフェースでもよいし、無線通信インタフェースでもよい。
【００４２】
なお、情報処理装置１１０は、媒体リーダ１１６を備えていなくてもよい。また、情報処理装置１１０は、係員が操作する端末装置（携帯型電子機器、タブレット型パソコン等）から制御可能である場合には画像信号処理部１１４等を備えていなくてもよい。また、ディスプレイ１２１や入力デバイス１２２が、情報処理装置１１０の筐体と一体に形成されていてもよい。
【００４３】
次に、イメージスキャナの概略構成について、図３を用いて説明する。図３は、第２の実施の形態のイメージスキャナの概略構成の一例を示す図である。
図３は、イメージスキャナ１３０の斜視図を表している。イメージスキャナ１３０は、カメラ１３１と、台座パネル１３２と、読み取りヘッド部１３３と、支柱１３４と、台座１３５と、突き当て部材１３６とを有する。
【００４４】
カメラ１３１は、支柱１３４の上端から台座１３５の中央上部まで張り出された梁部（読み取りヘッド部１３３）の先端近傍にて、台座１３５に対向する側（下向き）に設けられている。カメラ１３１は、画像取得が可能なＣＣＤカメラ等を用いることができる。カメラ１３１は、台座１３５に対して読み取り対象面を上向きにして載置された媒体の画像を取得する。カメラ１３１は、スタンド型スキャナの上部に備えられる画像読み取り部である。カメラ１３１によって読み取られた画像は、情報処理装置１１０に出力される。情報処理装置１１０は、カメラ１３１から取得した画像データに基づき、帳票に記入または印刷された文字のＯＣＲ（Optical Character Recognition）認証等を実行する。
【００４５】
台座パネル１３２は、台座１３５に埋め込まれ、カメラ１３１に対向する側（上向き）に表示面が設けられている。台座パネル１３２は、台座１３５の内側の領域内に設置され、プロセッサ１１１からの指示により画面を表示する。
【００４６】
読み取りヘッド部１３３は、カメラ１３１が設けられており、支柱１３４によって支持される。
支柱１３４は、台座１３５の一角に立設された棒状の部材であり、その上部にカメラ１３１を支持している。
【００４７】
台座１３５は、媒体を撮影するときに、撮影する対象となる媒体を載置するための台であり、矩形の外形を有している。また、台座１３５は、台座パネル１３２を備えている。
突き当て部材１３６は、撮影する対象となる媒体の縁部を突き当ててカメラ１３１に対する媒体の位置決めを行うための部材である。突き当て部材１３６は、台座１３５における支柱１３４が設けられた側の隣接する二辺に沿って、図示の例では、３個ずつ台座１３５に設置されている。
【００４８】
次に、イメージスキャナが用いられる使用態様の一例について説明する。図４は、第２の実施の形態のイメージスキャナの使用態様の一例を示す図である。
図４は、撮影対象となる媒体３００が台座パネル１３２に載置された状態を示している。係員は、各種帳票や伝票等のカメラ１３１で撮影する対象となる媒体３００を台座パネル１３２の上に載置し、入力デバイス１２２を介して情報処理装置１１０に読み取り開示の指示を入力する。情報処理装置１１０は、読み取り開始の指示を受け付け、カメラ１３１に対して撮影を指示する。
【００４９】
ここで、撮影について説明する。図４のように媒体３００が載置された状態において、台座パネル１３２の全面が一色（全面白色、または全面黒色等）を表示し、カメラ１３１が媒体３００を撮影することを、プレ撮影（第１の撮影）と呼ぶ。情報処理装置１１０は、プレ撮影の画像を用いて白黒反転させた画像を生成する。また、情報処理装置１１０が、生成した白黒反転画像を台座パネル１３２に表示し、カメラ１３１によって媒体３００を撮影することを、本撮影（第２の撮影）と呼ぶ。本撮影の状態については、後で図５を用いて説明する。また、情報処理装置１１０、カメラ１３１および台座パネル１３２の処理については、後で図６を用いて説明する。
【００５０】
なお、台座パネル１３２は、上述以外の表示を行うことができる。たとえば、台座パネル１３２は、媒体３００を載置する位置のガイダンスメッセージを表示し、係員を誘導してもよい。また、台座パネル１３２は、カメラ１３１に衝撃等が加わり位置がずれた場合等、位置合わせ用のマーク（キャリブレーションマーク）を表示し、撮影範囲のずれの補正（キャリブレーション）を行ってもよい。
【００５１】
次に、イメージスキャナにおいてカメラが本撮影する状態について説明する。図５は、第２の実施の形態の本撮影のイメージを示す図である。
図５は、イメージスキャナ１３０が本撮影を行っている状態であり、台座パネル１３２に白黒反転画像４００を表示させている状態を示している。なお、図５は、台座パネル１３２における画面の表示を説明するため媒体３００を空中に図示したが、実際には、媒体３００が台座パネル１３２に載置されているため、白黒反転画像４００は媒体３００に覆われて見えない状態である。
【００５２】
カメラ１３１は、媒体３００と白黒反転画像４００とが重ね合わされた状態を撮影する。このため、イメージスキャナ１３０は、プレ撮影の際に暗かった部分は明るく、プレ撮影の際に明るかった部分は暗く補正された撮影画像を取得できる。情報処理装置１１０は、イメージスキャナ１３０から補正された撮影画像を取得できるため、文字認識や印影照合等のような画像処理の精度を高めることができる。
【００５３】
次に、読み取り装置により実行される処理について図６を用いて説明する。図６は、第２の実施の形態のシーケンスを示す図である。
図６に示すシーケンスは、読み取り装置１００に含まれるカメラ１３１、台座パネル１３２および情報処理装置１１０の制御部（プロセッサ１１１）の処理の流れを示す。読み取り装置１００の制御部（プロセッサ１１１）は、入力デバイス１２２を介して係員から読み取り開始の指示を受け付け、処理を開始する。
【００５４】
［ステップＳ１１］制御部は、入力デバイス１２２を介して読み取り開始の指示を受け付ける。
［ステップＳ１２］制御部は、台座パネル１３２に黒色（背景色）表示を指示する。ここでは、情報処理装置１１０で実行する画像処理プログラムが、黒色を背景色（媒体の輪郭の外側の領域の色）として認識するものとし、黒色の表示を指示する。
【００５５】
なお、画像処理プログラムが、白色を背景色として認識する場合、制御部は台座パネル１３２に白色表示を指示する。また、画像処理プログラムがその他の色を背景色として認識する場合、制御部は、背景色として認識されるその他の色を表示するよう台座パネル１３２に指示する。たとえば、画像処理プログラムが、灰色を背景色として認識する場合、制御部が台座パネル１３２に対し灰色の表示を指示する。
【００５６】
なお、背景色については、予め画像処理プログラムの仕様を読み込んで設定してもよいし、係員から背景色の選択入力を受け付けてもよいし、その他の方法で指定してもよい。
［ステップＳ１３］台座パネル１３２は、制御部からの指示を受け付け、黒色（背景色）を全面に表示する。
【００５７】
［ステップＳ１４］制御部は、台座に媒体（帳票等）を載置する指示をディスプレイ１２１に表示する。係員は、ディスプレイ１２１に表示された指示を目視し、媒体を台座パネル１３２の上に載置する。
【００５８】
なお、本ステップは、制御部が係員から媒体を載置した旨の入力を受け付けた場合、ステップＳ１５にすすむ処理としてもよい。
［ステップＳ１５］制御部は、カメラ１３１に撮影を指示する。なお、本ステップにおける撮影の指示は、台座パネル１３２が背景色（無地一色のみ）を表示した状態における撮影の指示（プレ撮影の指示）である。
【００５９】
［ステップＳ１６］カメラ１３１は、制御部からの指示を受け付け、撮影を実行し、撮影した画像を制御部に通知する。なお、本ステップにおける撮影画像は、台座パネル１３２に背景色を表示した状態における撮影画像（プレ撮影画像）である。
【００６０】
［ステップＳ１７］制御部は、カメラ１３１からプレ撮影画像（第１の撮影画像）を取得し、白黒反転画像を生成する。なお、プレ撮影画像については、後で図７を用いて説明する。また、白黒反転画像については、後で図８を用いて説明する。
【００６１】
なお、制御部は、プレ撮影画像についてイコライズ・レベル変換等により白黒を強調させたり、特定色のみ反転させたりするなど、複数の画像処理方法を組み合せて白黒反転画像を生成してもよい。
【００６２】
［ステップＳ１８］制御部は、台座パネル１３２に白黒反転画像の表示を指示する。なお、制御部は、載置された媒体（たとえば、帳票）以外の部分については白色や黒色等の無地の表示を指示する。
【００６３】
なお、媒体以外の部分についての色については、予め画像処理プログラムの仕様を読み込んで設定してもよいし、係員から色の選択入力を受け付けてもよいし、その他の方法で指定してもよい。台座パネル１３２の白黒反転画像の表示態様については、後で図９を用いて説明する。
【００６４】
［ステップＳ１９］台座パネル１３２は、制御部からの指示を受け付け、白黒反転画像を表示する。また、台座パネル１３２は、載置された媒体以外の部分についての表示についても制御部からの指示に基づき表示する。
【００６５】
［ステップＳ２０］制御部は、カメラ１３１に撮影を指示する。なお、本ステップにおける撮影の指示は、台座パネル１３２が白黒反転画像を表示した状態における撮影の指示（本撮影の指示）である。
【００６６】
［ステップＳ２１］カメラ１３１は、制御部からの指示を受け付け、撮影を実行し、撮影した画像を制御部に通知する。なお、本ステップにおける撮影画像は、台座パネル１３２に白黒反転画像を表示した状態における撮影画像（本撮影画像）である。
【００６７】
［ステップＳ２２］制御部は、カメラ１３１から本撮影画像（第２の撮影画像）を取得する。制御部は、本撮影画像について画像処理（枠線の認識等）や文字認識（記入された文字や数字の認識）を実行する。
【００６８】
［ステップＳ２３］制御部は、文字認識結果をディスプレイ１２１に表示し、処理を終了する。なお、制御部は、文字認識結果をディスプレイ１２１に表示した後、イメージスキャナの電源をＯＦＦにする制御ができる。また、制御部は、処理終了後、読み取り開始の指示の受け付け待ち状態となり、読み取り開始の指示を受け付けた場合、ステップＳ１１の処理にもどる。
【００６９】
次に、イメージスキャナでプレ撮影された画像の一例について、図７を用いて説明する。図７は、第２の実施の形態のプレ撮影画像の一例を示す図である。
プレ撮影画像３１０は、媒体として帳票が撮影された場合における、帳票の輪郭内部の部分についてのみを示す。なお、プレ撮影画像には、媒体のみではなく媒体が載置された台座パネル１３２も含まれるが、媒体の輪郭外部の台座パネル１３２が撮影された部分の図示は省略する。
【００７０】
プレ撮影画像３１０の対象である帳票は、定期預金の払戻を行う際に用いられる定期預金払戻請求書の一例である。帳票には、支店番号が記入される欄と、口座番号が記入される欄と、払戻者の氏名が記入される欄と、金額が記入される欄と、届出印が押印される欄とが印字されている。金融機関を利用する顧客は、帳票に必要事項を記入し、押印し、金融機関の係員に帳票を渡して定期預金払戻の業務を依頼する。係員は、窓口業務において、顧客から帳票を受け取り、イメージスキャナ１３０で撮影し、帳票に記入された内容を情報処理装置１１０に取り込む作業を行う。
【００７１】
ここで、係員がイメージスキャナ１３０で帳票を撮影する際に、影３１１が写り込んだ状態で撮影されたものとする。
次に、白黒反転画像の一例について、図８を用いて説明する。図８は、第２の実施の形態の白黒反転画像の一例を示す図である。
【００７２】
白黒反転画像４１０は、プレ撮影画像３１０を白黒反転した画像であり、情報処理装置１１０によって生成される。なお、白黒反転画像４１０は、帳票の輪郭内部の部分についてのみを示し、帳票の輪郭外部の図示は省略する。
【００７３】
台座パネル１３２は、情報処理装置１１０からの指示に基づき、白黒反転画像４１０を表示する。これにより、カメラ１３１において、本撮影の際に、文字部分を明るく撮影できる。また、影と対応する部分４１１も白黒反転されるため、カメラ１３１は、本撮影の際に影３１１が明るくなるよう調整された状態で撮影することができる。
【００７４】
次に、台座パネルにおける表示の一例について、図９を用いて説明する。図９は、第２の実施の形態の台座パネルの表示の一例を示す図である。
図９（Ａ）は、台座パネル１３２が媒体（たとえば、帳票）の白黒反転画像を表示し、媒体の輪郭の外側領域について白色無地一色で表示した一例である。台座パネル１３２が図９（Ａ）のように媒体の輪郭の外側領域を白色一色で表示することにより、カメラ１３１は、媒体の輪郭の外側領域が明るい本撮影画像を撮影できる。
【００７５】
図９（Ｂ）は、台座パネル１３２が媒体の白黒反転画像を表示し、媒体の輪郭の外側領域について黒色無地一色で表示した一例である。台座パネル１３２が図９（Ｂ）のように媒体の輪郭の外側領域を黒色一色で表示することにより、カメラ１３１は、媒体の輪郭の外側領域が暗い本撮影画像を撮影できる。
【００７６】
情報処理装置１１０は、台座パネル１３２に対して図９（Ａ）（Ｂ）のような白黒反転画像表示を指示した後（ステップＳ１８）、本撮影をカメラ１３１に指示する（ステップＳ２０）。
【００７７】
なお、上述した実施の形態において、白色または黒色という色は一例に過ぎず、その他の色であってもよい。たとえば、情報処理装置１１０は、白色の代わりに薄いベージュ色等の別な色の表示を台座パネル１３２に指示できる。また、情報処理装置１１０は、黒色の代わりに灰色等の別な色の表示を台座パネル１３２に指示できる。また、情報処理装置１１０は、プレ撮影画像を取得した際に（ステップＳ１７）、プレ撮影画像に含まれる媒体の用紙の色や印刷色等に応じて台座パネル１３２に表示する色を決定してもよい。
【００７８】
次に、適用事例について、図１０を用いて説明する。図１０は、第２の実施の形態の適用事例を示す図である。
図１０（Ａ）は、撮影対象となる媒体（帳票）に数字が記入された一例である。帳票の記入欄がハッチングの矩形領域である場合と、帳票の記入欄が枠線の矩形領域である場合とを示している。なお、これらの記入欄の色は、白黒の２色とは限らず、その他の色である場合もある。
【００７９】
図１０（Ｂ）は、図１０（Ａ）について画像処理を行った場合の一例である。帳票の記入欄の一部が、印刷色や影等の影響で記入された文字と共に画像として取得され、文字認識の誤りが生じる場合の一例である。たとえば、ハッチングの矩形領域に記入された数字「１」が、ハッチングの矩形領域が左縦方向に残存することにより数字「１１」として誤認識される場合がある。また、ハッチングの矩形領域に記入された数字「１」が、ハッチングの矩形領域が上横方向に残存することにより数字「７」として誤認識される場合がある。また、枠線の矩形領域に記入された数字「３」が、枠線の矩形領域が左縦方向に残存することにより数字「８」または数字「０」として誤認識される場合がある。
【００８０】
図１０（Ｃ）は、図１０（Ａ）について本実施の形態を適用した場合の一例である。読み取り装置１００は、プレ撮影画像に基づいて生成した白黒反転画像を台座パネル１３２に表示させてから本撮影を行うことで、帳票の記入欄や影等を除去した本撮影画像を取得できるため、誤認識の発生を低減できる。
【００８１】
近年、媒体（たとえば、帳票、伝票、アンケート用紙等）のデザインが多様化しており、店舗のロゴマークや模様等が背景として媒体に印刷されている場合がある。これまでのスキャナで撮影された画像では、媒体の背景のデザインと媒体に記入された文字との区別が困難な場合があった。たとえば、外光の影響で媒体に入った影の部分と媒体の背景のデザインや記入欄の枠とが重なる部分については、画像から除去することが困難であった。このため、スキャナで撮影された画像の文字認識や印影照合の精度を向上することが困難であった。
【００８２】
読み取り装置１００は、媒体をプレ撮影し、プレ撮影画像を用いて生成した白黒反転画像を台座パネル１３２に表示しつつ本撮影を行う。言い換えると、読み取り装置１００は、媒体の影や媒体の背景デザイン等を反転させた画像を生成して台座パネル１３２に表示し、媒体と台座パネル１３２の表示とを重ね合わせた本撮影画像を取得できる。これにより、読み取り装置１００は、媒体に入った影の部分や媒体の背景デザイン等を除去することが可能となり、文字認識や印影照合の精度を向上させることができる。
【００８３】
また、読み取り装置１００により、媒体の厚みや印刷色の制約が緩和され、媒体を使用する際の運用の選択肢が広がる。また、読み取り装置１００により、情報処理装置１１０で使用する画像処理プログラムの制約が緩和される。たとえば、白色枠の認識を行う画像処理プログラムだけではなく、その他の色の枠の認識を行う画像処理プログラムも使用が可能となる。
【００８４】
また、読み取り装置１００は、プレ撮影後にプレ撮影画像を反転させた画像を表示し、本撮影をすることで影等の除去を行った本撮影画像を取得できる。このため、撮影画像に含まれる影や色の分布や濃淡等を解析する処理よりも、読み取り装置１００を用いた処理は簡易な処理であり高速に画像の認識結果を出力することが可能である。
【００８５】
読み取り装置１００は、カメラ１３１の撮影に合わせて台座パネル１３２の表示を適宜変化させることができる。読み取り装置１００は、媒体の状態や環境によって生じる陰影などの状況に応じて台座パネル１３２の表示を変化させ、カメラ１３１で媒体を撮影することで、影等のノイズを除去した画像を取得できる。
【００８６】
こうして、読み取り装置１００は、媒体の状態や撮影環境の状況に応じた撮影を可能とする。
上記の処理機能は、コンピュータによって実現することができる。その場合、情報処理部１７、情報処理装置１１０が有すべき機能の処理内容を記述したプログラムが提供される。そのプログラムをコンピュータで実行することにより、上記処理機能がコンピュータ上で実現される。
【００８７】
処理内容を記述したプログラムは、コンピュータで読み取り可能な記録媒体に記録しておくことができる。コンピュータで読み取り可能な記録媒体には、磁気記憶装置、光ディスク、光磁気記憶媒体、半導体メモリ等がある。磁気記憶装置には、ＨＤＤ、フレキシブルディスク（ＦＤ）、磁気テープ（ＭＴ）等がある。光ディスクには、ＤＶＤ（Digital Versatile Disc）、ＤＶＤ−ＲＡＭ、ＣＤ−ＲＯＭ（Compact Disc - Read Only Memory）、ＣＤ−Ｒ（Recordable）／ＲＷ（ReWritable）等がある。光磁気記憶媒体には、ＭＯ（Magneto - Optical disk）等がある。半導体メモリには、ＵＳＢメモリ等のフラッシュメモリがある。
【００８８】
上記プログラムを流通させる場合には、たとえば、そのプログラムが記録されたＤＶＤ、ＣＤ−ＲＯＭ等の可搬型記録媒体が販売される。また、プログラムをサーバコンピュータに格納しておき、ネットワークを介して、サーバコンピュータから他のコンピュータにそのプログラムを転送することもできる。
【００８９】
上記プログラムを実行するコンピュータは、たとえば、可搬型記録媒体に記録されたプログラム若しくはサーバコンピュータから転送されたプログラムを、自己の記憶装置に格納する。そして、コンピュータは、自己の記憶装置からプログラムを読み取り、プログラムに従った処理を実行する。なお、コンピュータは、可搬型記録媒体から直接プログラムを読み取り、そのプログラムに従った処理を実行することもできる。また、コンピュータは、サーバコンピュータからプログラムが転送される毎に、逐次、受け取ったプログラムに従った処理を実行することもできる。
【００９０】
また、プログラムで記述された処理の一部または全てを、電子回路に置き換えることが可能である。たとえば、上記の処理機能の少なくとも一部を、ＤＳＰ（Digital Signal Processor）、ＡＳＩＣ（Application Specific Integrated Circuit）、ＰＬＤ（Programmable Logic Device）等の電子回路で実現してもよい。
【００９１】
なお、上述の実施の形態は、実施の形態の要旨を逸脱しない範囲内において種々の変更を加えることができる。
さらに、上述の実施の形態は、多数の変形、変更が当業者にとって可能であり、説明した正確な構成および応用例に限定されるものではない。
【符号の説明】
【００９２】
１０  読み取り装置
１１  イメージスキャナ
１２  撮影部
１３  パネル部
１４  台座
１５  支柱
１６  ヘッド部
１７  情報処理部
１８  制御部
２０  媒体
３１  第１の画面
３２  第２の画面
４１  第１の撮影画像
４２  第２の撮影画像
【図１】
2019024158.tif 000003
【図２】
2019024158.tif 000004
【図３】
2019024158.tif 000005
【図４】
2019024158.tif 000006
【図５】
2019024158.tif 000007
【図６】
2019024158.tif 000008
【図７】
2019024158.tif 000009
【図８】
2019024158.tif 000010
【図９】
2019024158.tif 000011
【図１０】
2019024158.tif 000012